(57)【要約】【目的】鞄を開いただけで携帯型電話装置の所在報知が行われてしまうという不具合を解消する。【構成】携帯型電話装置は周囲の温度を検出する温度センサ４を有する。制御部２は、温度センサ４により検出される周囲温度に基づいて当該携帯型電話装置の手中外状態を判定する。この手中外状態は携帯型電話装置が鞄のなかにあるとの前提に立って以下の処理を行う。制御部２は手中外状態であるとの判定を行った後、バイブレータ６やスピーカ７やバックライト８等を利用し、振動や音や光を発生させる探索補助動作を実行する。【選択図】      図１
2004266569.tif 000002
【特許請求の範囲】
【請求項１】
報知手段と、周囲の温度を検出する温度センサと、前記温度センサにより検出される周囲温度に基づいて当該携帯型電話装置の手中外状態を判定した後、周囲温度が基準温度に対して所定幅以上の上昇変化を示したときに前記報知手段にて探索補助動作を実行する制御手段と、を備えたことを特徴とする携帯型電話装置。
【請求項２】
報知手段と、周囲の温度を検出する温度センサと、カバンモード設定された後、周囲温度が基準温度に対して所定幅以上の上昇変化を示したときに前記報知手段にて探索補助動作を実行する制御手段と、を備えたことを特徴とする携帯型電話装置。
【請求項３】
請求項１又は請求項２に記載の携帯型電話装置において、周囲温度が基準温度に対して所定幅以上の上昇変化を示さないまま所定時間が経過したときに、その時点の周囲温度を基準温度とする更新処理を行うように構成されたことを特徴とする携帯型電話装置。
【請求項４】
請求項１乃至請求項３のいずれかに記載の携帯型電話装置において、周囲の明るさを検出する光センサを備え、前記センサにて光を検知できた状態で且つ周囲温度が基準温度に対して所定幅以上の上昇変化を示したときに前記報知手段にて探索補助動作を実行するように構成されたことを特徴とする携帯型電話装置。
【請求項５】
請求項１乃至請求項３のいずれかに記載の携帯型電話装置において、周囲の明るさを検出する光センサを備え、周囲の明るさが一旦暗状態となって明状態となった場合で且つ周囲温度が基準温度に対して所定幅以上の上昇変化を示したときに前記報知手段にて探索補助動作を実行するように構成されたことを特徴とする携帯型電話装置。
【請求項６】
請求項１乃至請求項５のいずれかに記載の携帯型電話装置において、前記報知手段は画像表示部を構成する発光部又は画像表示部を構成しない発光手段であり、探索補助動作として前記発光部の点灯又は明滅動作が実行されるように構成されたことを特徴とする携帯型電話装置。
【請求項７】
請求項１乃至請求項５のいずれかに記載の携帯型電話装置において、前記報知手段は音発生手段であり、探索補助動作として前記音発生手段によるブザー音、メロディ、又は音声合成音の出力が行われるように構成されたことを特徴とする携帯型電話装置。
【請求項８】
請求項１乃至請求項５のいずれかに記載の携帯型電話装置において、前記報知手段は振動発生手段であり、探索補助動作として前記振動発生手段によるバイブレーション動作が行われるように構成されたことを特徴とする携帯型電話装置。
【発明の詳細な説明】
【０００１】
【産業上の利用分野】
この発明は携帯型電話装置に関する。
【０００２】
【従来の技術】
鞄のなかから手さぐりで携帯型電話装置を探し出すことがあるが、この探索のための所在報知を行うようにした携帯型電話装置が知られている（特許文献１参照）。この携帯型電話装置は、光センサを利用しており、鞄を開けたときに入り込む光を前記光センサが感受したときに、携帯型電話装置の所在を知らせる報知を行うようになっている。
【０００３】
【特許文献１】
特開２００１−３２０４７６号公報
【０００４】
【発明が解決しようとする課題】
ところで、通常、鞄のなかに入れられた携帯型電話装置を探し出すときには、鞄を開けて手を鞄の奥深くに入れることになる。一方、鞄のなかの書類を確認したり、鞄のなかに書類等を仕舞い込むときには、鞄を開けても手を鞄の奥深くに入れることは殆どない。すなわち、鞄を開くことがそのまま携帯型電話装置を探すことにはならない。そして、上記従来の技術では、明るい部屋のなかなどでは、鞄を開けただけで所在報知が行われてしまう。その一方、暗がりでは、鞄を開けても所在報知は行われないことになる。
【０００５】
この発明は、上記事情に鑑み、鞄を開いただけで携帯型電話装置の所在報知が行われてしまうという不具合を解消することを目的とする。
【０００６】
【課題を解決するための手段】
この発明の携帯型電話装置は、上記の課題を解決するために、報知手段と、周囲の温度を検出する温度センサと、前記温度センサにより検出される周囲温度に基づいて当該携帯型電話装置の手中外状態を判定した後、周囲温度が基準温度に対して所定幅以上の上昇変化を示したときに前記報知手段にて探索補助動作を実行する制御手段と、を備えたことを特徴とする（以下、この項において第１の構成という）。
【０００７】
上記第１の構成であれば、鞄のなかに入れられた人の手の温度を感知して探索補助動作が行われることになり、単に鞄を開けただけで探索補助動作が行われてしまうのを防止することができる。更に、鞄のなかに光が届かないような暗がりでも探索補助動作が実行されることになる。
【０００８】
また、この発明の携帯型電話装置は、報知手段と、周囲の温度を検出する温度センサと、カバンモード設定された後、周囲温度が基準温度に対して所定幅以上の上昇変化を示したときに前記報知手段にて探索補助動作を実行する制御手段と、を備えたことを特徴とする（以下、この項において第２の構成という）。
【０００９】
前述した第１の構成では周囲温度に基づいて携帯型電話装置の手中外状態を携帯型電話装置自身が判定する処理を行う。ここで、手中外状態としては、鞄のなかに携帯型電話装置が入れられた状態の他、机上などに携帯型電話装置が置かれた状態も含まれてしまう。第２の構成では、人の判断で、机上などに携帯型電話装置を置くときにはカバンモード設定を行わず、鞄のなかに携帯型電話装置を入れるときだけ、カバンモード設定を行うことになる。
【００１０】
周囲温度が基準温度に対して所定幅以上の上昇変化を示さないまま所定時間が経過したときに、その時点の周囲温度を基準温度とする更新処理を行うように構成されているのがよい。
【００１１】
周囲の明るさを検出する光センサを備え、前記センサにて光を検知できた状態で且つ周囲温度が基準温度に対して所定幅以上の上昇変化を示したときに前記報知手段にて探索補助動作を実行するように構成されていてもよい（以下、この項において第３の構成という）。また、周囲の明るさを検出する光センサを備え、周囲の明るさが一旦暗状態となって明状態となった場合で且つ周囲温度が基準温度に対して所定幅以上の上昇変化を示したときに前記報知手段にて探索補助動作を実行するように構成されていてもよい（以下、この項において第４の構成という）。
【００１２】
ここで、上述した第１，第２の構成では、鞄の上に温かいものを包んだ紙袋などを置いた場合に、その熱を感知して探索補助動作が実行されるおそれがある。第３の構成及び第４のであれば、光センサで鞄が開かれたことを検出しない間は探索補助動作は行われないので、上記の不具合を防止できる。ただし、暗がりでの探索補助動作は行えない場合もある。また、第４の構成においては、明るい部屋の机上などに携帯型電話装置が置かれ続けている状態では、暗から明の状態は生じないので、たとえ温度変化による探索補助動作の条件が満たされたとしても、探索補助動作は行われない利点がある。
【００１３】
前記報知手段は画像表示部を構成する発光部又は画像表示部を構成しない発光手段であり、探索補助動作として前記発光部の点灯又は明滅動作が実行されるように構成されていてもよい。また、前記報知手段は音発生手段であり、探索補助動作として前記音発生手段によるブザー音、メロディ、又は音声合成音の出力が行われるように構成されていてもよい。また、前記報知手段は振動発生手段であり、探索補助動作として前記振動発生手段によるバイブレーション動作が行われるように構成されていてもよい。
【００１４】
【発明の実施の形態】
以下、この発明の実施形態を図１乃至図３に基づいて説明する。
【００１５】
図１はこの実施形態の携帯型電話装置を示したブロック図である。操作部１には電源キーやテンキーなどの各種キーが設けられている。所定キーを操作することで、探索補助動作の有効／無効の設定が行える。また、ガバンモードキーといった所定キーを設けておけば、この所定キーが操作されたときに、携帯型電話装置をガバンモードの状態とすることができる。
【００１６】
制御部２は、通信部３における発着信制御などの携帯型電話装置としての通常の制御を行う他、上述した探索補助動作の有効設定時の制御やガバンモードにおける制御も行うようになっている。かかる制御に際しては、後述する温度センサ４の出力（Ａ／Ｄ変換データ）をメモリ２ａに格納する処理を行う。
【００１７】
温度センサ４は、周囲温度を検出できるように携帯型電話装置の筐体表面部分に設けられる。温度センサ４は、筐体表面において面状に一つ設けられるものでもよいが、この実施形態では点状の温度センサ４を複数個備えることとし、例えば、筐体の４隅箇所及び辺の中央箇所などに設けるようにしている。なお、温度センサ４はサーミスタといったものに限るものではなく、赤外線センサを温度センサとすることもできる。
【００１８】
光センサ５は、周囲の明るさを検出できるように携帯型電話装置の筐体表面部分に設けられる。光センサ５は筐体表面において面状に一つ設けられるものでもよいが、この実施形態では点状の光センサ５を複数個備える。なお、光センサ５は必須のものではない。光センサ５を利用しない探索補助制御を図２のフローチャートに示しており、光センサ５を利用する探索補助制御を図３のフローチャートに示している。
【００１９】
バイブレータ６やスピーカ７は、携帯型電話装置として通常備えられるものである。また、バックライト８は、画像表示部として液晶パネルを用いる場合に利用される。この発明では、バイブレータ６、スピーカ７、及びバックライト８を報知手段として利用している。勿論、スピーカ７以外の音発生手段（着信メロディ出力部やブザー等）、画面表示部がＥＬディスプレイである場合の当該ＥＬディスプレイ、テンキー等に設けたＬＥＤ（発光ダイオード）や他の箇所に設けたＬＥＤ等の発光手段を報知手段として利用することができる。
【００２０】
制御部２は、バックライト８やＬＥＤ等を報知手段として利用するとき、探索補助動作として点灯又は明滅動作を行わせ、また、スピーカ７等の音発生手段を報知手段として利用するとき、探索補助動作として前記音発生手段によるブザー音、メロディ、音声合成音の出力を行わせ、また、バイブレータ６を報知手段として利用するとき、探索補助動作としてバイブレーション動作を行わせる。
【００２１】
次に、図２のフローチャートに基づいて探索補助動作のための処理について説明していく。探索補助機能が「有効」に設定されているときには（ステップＳ１でＹＥＳ）、例えば、２０秒間キー操作がないかどうかを判断する（ステップＳ２）。キー操作がない場合には、温度センサ４を用いて周囲温度を測定し（ステップＳ３）、携帯型電話装置がユーザの手の中にあるかどうかを判断する（ステップＳ４）。例えば、温度センサ４にて３０℃以上の温度が検出された場合に手中に在ると判断する。勿論、固定的な温度ではなく、周囲温度との兼ね合いで３２℃といった温度に変更できるようになっていてもよい。ユーザの手中にあると判断された場合にはステップＳ３に戻る。手中にないと判断されたときには（ここで示している処理においては、携帯型電話装置が手中にないという状態は、携帯型電話装置が鞄のなかであるとの前提に立っている）、ＣＰＵは探索補助機能を作動させ（ステップＳ５）、温度センサ４を用いて周囲温度を測定し、これを基準温度としてメモリに記憶する（ステップＳ６）。
【００２２】
そして、更に周囲温度の測定を行い、今回計測の周囲温度と前記基準温度との差異を出力し（ステップＳ７）、周囲温度が基準温度に対して所定幅以上の上昇変化を示したかどうかを判断する（ステップＳ８）。上昇変化がないと判断したときには、ステップＳ７及びステップＳ８の処理を所定時間繰り返し（ステップＳ９）、所定時間が経過したらステップＳ６に進み、基準温度を更新する。
【００２３】
一方、ステップＳ８において上昇変化ありと判断され、更にバイブレーション有効であると判断したときには（ステップＳ１０でＹＥＳ）、バイブレータ６を作動させ（ステップＳ１１）、ステップＳ１０でＮＯとされ且つスピーカ有効であると判断したときには（ステップＳ１２でＹＥＳ）、スピーカ７にて音出力を行い（ステップＳ１３）、ステップＳ１２でＮＯとされ且つＬＣＤバックライト等有効であると判断したときには（ステップＳ１４でＹＥＳ）、ＬＥＤ、ＬＣＤバックライトを点灯する（ステップＳ１５）。そして、一定時間の経過又はユーザによるキー操作があったときには（ステップＳ１６でＹＥＳ）、探索補助機能を停止させる（ステップＳ１７）。
【００２４】
携帯型電話装置が鞄のなかに入れられている状態で、人の手が鞄のなかに入れられると、この人の手の温度を温度センサ４が感知して探索補助動作が行われることになり、単に鞄を開けただけで探索補助動作が行われてしまうのを防止することができる。更に、鞄のなかに光が届かないような暗がりでも探索補助動作が実行されることになる。なお、ステップＳ１１を経た後にステップＳ１２に進むこととし、また、ステップＳ１３を経た後にステップＳ１４に進むようにすることで、バイブレータ６、スピーカ７、及びＬＣＤバックライト等の一つ以上を動作させるようにしてもよい。
【００２５】
次に、図３のフローチャートに基づいて探索補助動作のための他の処理例について説明していく。この処理例では、操作部１にガバンモードキーといった所定キーが設けられているとし、この所定キーが操作されると携帯型電話装置がガバンモードに移行するものとしている。携帯型電話装置は、カバンモードがＯＮであるかどうかを判断し（ステップＳ２３）、ＯＮであるときには（ここで示している処理においては、カバンモードをＯＮとするときには、ユーザは携帯型電話装置を鞄のなかに入れるとする前提に立っている）、温度センサ４を用いて周囲温度を測定し、これを基準温度としてメモリに記憶する（ステップＳ２２）。
【００２６】
そして、更に周囲温度の測定を行い、今回計測の周囲温度と前記基準温度との差異を出力し（ステップＳ２３）、周囲温度が基準温度に対して所定幅以上の上昇変化を示したかどうかを判断する（ステップＳ２４）。上昇変化がないと判断すると、ステップＳ２３及びステップＳ２４の処理を所定時間繰り返し（ステップＳ２５）、所定時間が経過したらステップＳ２２に進み、基準温度を更新することになる。ここで、ユーザがカバンモードキーを操作して携帯型電話装置を鞄のなかに入れると、携帯型電話装置の周囲温度は徐々に下がることになり、鞄の中の温度に近づいていく（低下していく）ので、その間はステップＳ２４において、ＹＥＳと判断されることはなく、前記基準温度は徐々に鞄の中の温度に近づいていくことになる。
【００２７】
ステップＳ２４において上昇変化ありと判断されたときには、光センサ５にて光を感知したかどうかを判断する（ステップＳ２６）。光を感知していないときにはステップＳ２２に戻る。一方、光センサ５にて光を感知し（ステップＳ２６でＹＥＳ）、更にバイブレーション有効であると判断したときには（ステップＳ２７でＹＥＳ）、バイブレータ６を作動させ（ステップＳ２８）、ステップＳ２７でＮＯとされ且つスピーカ有効であると判断したときには（ステップＳ２９でＹＥＳ）、スピーカ７にて音出力を行い（ステップＳ３０）、ステップＳ２９でＮＯとされ且つＬＣＤバックライト等有効であると判断したときには（ステップＳ３１でＹＥＳ）、ＬＥＤ、ＬＣＤバックライトを点灯する（ステップＳ３２）。そして、一定時間の経過又はユーザによるキー操作があったときには（ステップＳ３３でＹＥＳ）、探索補助機能を停止させる（ステップＳ３４）。
【００２８】
上記の処理は、温度センサ４に加えて光センサ５も利用し、たとえ温度変化では探索補助機能を実行し得る状態であっても、光センサ５で光を感知できないときには、探索補助機能を実行しないこととしている。ここで、図２の制御例では、鞄の上に肉まんなどの温かいものを包んだ紙袋などを置いた場合に、その熱を感知して探索補助動作が実行されるおそれがあるが、図３の処理例では、光センサさ５で光を（鞄が開かれたことを）検出しない間は探索補助動作は行われないので、上記不具合を防止できる。ただし、暗がりでの探索補助動作は行えない場合もある。
【００２９】
また、図３の処理例では、単なる光の検知を加味して探索補助動作を行うこととしただけだが、周囲の明るさが一旦暗状態となって明状態となった場合で且つ周囲温度が基準温度に対して所定幅以上の上昇変化を示したときに探索補助動作を実行するようにしてもよい。これによれば、明るい部屋の机上などに携帯型電話装置が置かれ続けている状態では、暗から明の状態は生じないので、たとえ温度変化による探索補助動作の条件が満たされたとしても、探索補助動作は行われない利点がある。
【００３０】
【発明の効果】
以上説明したように、この発明によれば、鞄を開いただけで携帯型電話装置の探索補助動作が行われてしまうという不具合を解消し、好適な探索補助動作を実現できるという効果を奏する。
【図面の簡単な説明】
【図１】この発明の実施形態の携帯型電話装置を示したブロック図である。
【図２】探索補助動作のための処理内容を示したフローチャートである。
【図３】探索補助動作のための他の処理内容を示したフローチャートである。
【符号の説明】
１    操作部
２    制御部
２ａ  メモリ
３    通信部
４    温度センサ
５    光センサ
６    バイブレータ
７    スピーカ
８    バックライト
【図１】
2004266569.tif 000003
【図２】
2004266569.tif 000004
【図３】
2004266569.tif 000005